(57)【要約】【課題】  ベルトに対する着脱作業の容易化と、ベルトへの装着状態の安定化とを図ることができる収納ケースを提供すること。【解決手段】  収納ケース１０は、上部を出し入れ口１１Ａとして開放する収納体１１と、この収納体１１の開放側に連設された蓋体１２と、この蓋体１２と収納体１１との間に設けられ、蓋体１２により出し入れ口１１Ａの閉塞状態を保つ保持体１３とを備えて構成されている。蓋体１２の基部内面側には、引っ掛け部材１４が設けられ、この引っ掛け部材１４をベルトのＢの上方から引っ掛けることにより、常時は水平方向に沿って位置する腰回りに巻かれたベルトＢに収納ケース１０が装着される。【選択図】      図２
2006326138.tif 000002
【特許請求の範囲】
【請求項１】
水平方向に沿って位置するベルトに装着可能な収納ケースにおいて、
上部を出し入れ口として開放する収納体と、この収納体の開放側に連設されて前記出し入れ口を開閉する蓋体と、この蓋体と収納体との間に設けられて当該蓋体による出し入れ口の閉塞状態を保つ保持体とを備え、
前記蓋体の内面側に、前記ベルトの上方から引っ掛け可能な引っ掛け部材を設けたことを特徴とする収納ケース。
【請求項２】
前記引っ掛け部材によりベルトを引っ掛けたときに、蓋体内面と引っ掛け部材とによりベルトの厚さ方向両側から挟み込み可能とする一方、前記収納体の出し入れ口側と引っ掛け部材とにより前記ベルトを上下両側から挟み込み可能としたことを特徴とする請求項１記載の収納ケース。
【請求項３】
前記引っ掛け部材は、蓋体内面との間に隙間を介して位置する片状若しくは板状部材と、この片状若しくは板状部材と蓋体とを連結する連結部とを備えていることを特徴とする請求項１又は２記載の収納ケース。
【発明の詳細な説明】
【技術分野】
【０００１】
本発明は、収納ケースに係り、更に詳しくは、腰回りのベルトに装着した状態で携帯電話等を出し入れすることができる収納ケースに関する。
【背景技術】
【０００２】
近時、携帯電話等の小型電子機器が学生から高齢者まで広く普及するに至っており、これら携帯電話は、その性質上、胸ポケットに収納する等、常に身に付けて利用されることが多い。特に、高齢者等にあっては、携帯電話を介して連絡を常時取り得るようにすることが好ましく、そのためには、胸ポケットに収納するよりも容易且つ扱い易く携帯電話を携帯可能とすることが望まれている。
ここで、携帯電話を携帯するにあたって、当該携帯電話を収納可能な収納ケースが利用されている。この収納ケースとして、上部を出し入れ口とする袋状の収納体と、前記出し入れ口を開閉可能な蓋体と、収納体の外面側で閉ループを形成するループ体とを備えたものが知られている。このような収納ケースは、ループ体の内側に、腰回りに巻かれるベルトを通すことで、収納ケース及び携帯電話を腰付近に装着可能となる。
【発明の開示】
【発明が解決しようとする課題】
【０００３】
しかしながら、このような収納ケースにあっては、ベルトに対する取り付け及び取り外しが面倒になり、取扱性に劣るものとなるという不都合を招来する。
これは、収納ケースをベルトに着脱する度に、ズボン等に縫合されたループ状のベルト通しからベルトを取り外し、当該ベルトに前記ループ体を通す若しくは抜き出した後、再度ベルトをベルト通しに通す作業が不可欠となることに起因する。
【０００４】
ところで、収納ケースの他の構成として、前記ループ体の一部にホック等を設けて開閉可能としたタイプのものがある。これによれば、ホックを係脱することで、ベルト通しからベルトを外すことなく当該ベルトにループ体を着脱できるようになる。
ところが、このような構成では、ホックを係脱するために指先等に多大な負荷が生じる他、ベルトの裏面とズボン等との間の狭い隙間内でホックの係脱作業が必要となり、この作業が煩雑且つ困難になるという不都合を生じる。しかも、ホックの係合が不用意に不完全となって、収納ケースの携帯中にホックの係合が解除される場合があり、収納した携帯電話が意図することなく落下して紛失したり破損する虞がある。
【０００５】
［発明の目的］
本発明は、このような不都合に着目して案出されたものであり、その目的は、ベルトに対する取り付け及び取り外しを容易に行うことができ、且つ、ベルトへの装着状態を安定して保つことができる収納ケースを提供することにある。
【課題を解決するための手段】
【０００６】
前記目的を達成するため、本発明は、水平方向に沿って位置するベルトに装着可能な収納ケースにおいて、
上部を出し入れ口として開放する収納体と、この収納体の開放側に連設されて前記出し入れ口を開閉する蓋体と、この蓋体と収納体との間に設けられて当該蓋体による出し入れ口の閉塞状態を保つ保持体とを備え、
前記蓋体の内面側に、前記ベルトの上方から引っ掛け可能な引っ掛け部材を設ける、という構成が採用されている。
【０００７】
本発明において、前記引っ掛け部材によりベルトを引っ掛けたときに、蓋体内面と引っ掛け部材とによりベルトの厚さ方向両側から挟み込み可能とする一方、前記収納体の出し入れ口側と引っ掛け部材とにより前記ベルトを上下両側から挟み込み可能とすることが好ましい。
【０００８】
また、前記引っ掛け部材は、蓋体内面との間に隙間を介して位置する片状若しくは板状部材と、この片状若しくは板状部材と蓋体とを連結する連結部とを備える、という構成も好ましくは採用される。
【発明の効果】
【０００９】
本発明によれば、引っ掛け部材をベルトの上端部に引っ掛けるだけで収納ケースを簡単且つ安定的に装着することができる。具体的には、例えば、腰に巻かれたベルトとズボンとの間に蓋体を通し、当該蓋体の内面側がベルトに重なるようにするだけで、ベルトに引っ掛け部材を引っ掛けることができ、収納ケースの装着を短時間で楽に行うことが可能となる。しかも、保持体を介して蓋体の閉塞状態を保つことにより、収納体と蓋体との間にベルトが挿通された状態となる。つまり、引っ掛け部材だけでなく蓋体自体も収納ケースの装着状態の安定化に寄与することとなり、従来構造のように収納ケースが不用意に落下することを回避することが可能となる
【００１０】
また、ベルトの厚さ方向両側と上下両側との二方向から挟み込むようにしたので、ベルトに対する収納ケースの装着姿勢をより良好に保たれ、収納ケースの携帯中に、当該収納ケースのがたつきを防止して使い勝手を向上させることが可能となる。
【００１１】
更に、片状若しくは板状部材と連結部とにより引っ掛け部材を形成したから、ボタンやホック等の簡単且つ安価な部材を用いて引っ掛け部材を構成することができる。
【００１２】
なお、本明細書及び特許請求の範囲における位置若しくは方向を示す用語は、特に明示しない限り、図１中矢印Ｂ方向から収納ケースを見た場合を基準として用いられる。従って、例えば、「前」とは、収納ケースを前記Ｂ方向から見た場合の手前側について用いられ、「後」とは、同奥行側について用いられる。
【発明を実施するための最良の形態】
【００１３】
以下、本発明の好ましい実施の形態について図面を参照しながら説明する。
【００１４】
図１には、実施形態に係る収納ケースの概略斜視図が示され、図２には、前記収納ケースの蓋体を開放した状態の概略斜視図が示されている。また、図３には、図１のＡ−Ａ線に沿う断面図が示されている。これらの図において、収納ケース１０は、常時は水平方向に沿って位置するベルトＢ、すなわち、図示省略したズボン等の衣服を着用するために腰回りに巻かれたベルトＢに装着可能に設けられている。収納ケース１０は、上部を出し入れ口１１Ａとして開放する収納体１１と、この収納体１１の開放側に連設された蓋体１２と、この蓋体１２と収納体１１との間に設けられた保持体１３と、蓋体１２の基部側すなわち出し入れ口１１Ａ近傍に設けられた引っ掛け部材１４とを備えて構成されている。
【００１５】
前記収納体１１は、いわゆる二つ折りタイプの携帯電話Ｔ（図３参照）を縦向きにした状態で収納可能に設けられている。収納体１１は、前部材１５と、この前部材１５に所定間隔を隔てて略平行に位置する後部材１６と、前部材１５及び後部材１６の下側に一体的に連なる底部材１７と、これら前部材１５、後部材１６及び底部材１７の左右両側にそれぞれ縫い合わされる一対の側部材１８，１８とを備え、上部に前記出し入れ口１１Ａを形成するように設けられている。各側部材１８，１８の上端側は、後方に向かって下降する傾斜方向に沿う形状に設けられている。
【００１６】
前記蓋体１２は、前記後部材１６の出し入れ口１１Ａ側（図中上側）に連なって当該出し入れ口１１Ａと前部材１５の殆どの領域をカバーするよう開閉可能に設けられている。
ここで、図３及び図４に示されるように、蓋体１２と、前述の前部材１５、後部材１６及び底部材１７とは、予め積層された複数枚のシートにより形成されている。具体的には、それらの表側に位置するとともに、羊の皮等の天然皮や合成皮革等からなる表シートＳ１と、当該表シートＳ１の裏側に重ねられて外周側で縫合されるとともに、面ファスナーを構成する裏シートＳ２と、これら表シートＳ１と裏シートＳ２との間に位置する補強シートＳ３とにより形成されている。補強シートＳ３は、蓋体１２の形成領域だけに設けられており、当該蓋体１２の剛性を高めるようになっている。
【００１７】
前記保持体１３は、蓋体１２の内面１２Ａ側に位置する前記裏シートＳ２と、収納体１１の前部材１５における下部領域に設けられるとともに、面ファスナーを構成するシート材２１とにより構成されている。裏シートＳ２とシート材２１とは、相互に面接触することで係合可能に設けられている。従って、図１及び図３のように裏シートＳ２とシート材２１とが係合したときに、意図することなく蓋体１２が開放することが規制され、蓋体１２によって出し入れ口１１Ａの閉塞状態が保たれるようになっている。ここで、特に限定されるものでないが、本実施形態では、裏シートＳ２は、多数の小さいループを係合面に備えたものが用いられる一方、シート材２１は、前記ループに引っ掛かる多数のフックを係合面に備えたものが用いられている。
【００１８】
前記引っ掛け部材１４は、蓋体１２の内面１２Ａ側から突出する形状を備え、前記側部材１８の上端後方側からベルトＢの幅程度上方に離れた位置に設けられている。引っ掛け部材１４は、蓋体１２の内面１２Ａとの間に隙間Ｓを介して位置する円盤状の板状部材２３と、この板状部材２３と蓋体１２とを連結する連結部２４とを備えている。連結部２４は、板状部材２３の後面に連なる筒部２６と、蓋体１２を貫通するとともに、筒部２６の内部でかしめられて筒部２６に連結される軸部２７と、この軸部２７の後端に連なって蓋体１２の後面側に位置するとともに、筒部２６の後端と蓋体１２を挟み込む円盤状の頭部２８とを備えている。
【００１９】
以上の構成において、ベルトＢに収納ケース１０を装着する作業は、図４に示されるように、蓋体１２を開放する一方、ベルトＢとズボン等の腰部分Ｗとの間にスペースを空け、このスペースの下方から蓋体１２を通して持ち上げることにより行われる。これにより、蓋体１２の基部側（出し入れ口１１Ａ側）にベルトＢが位置し、ベルトＢの上方から引っ掛け部材１４が引っ掛けられた状態となる。具体的には、前記隙間Ｓ内にベルトＢの上端側が入り込み、引っ掛け部材１４の板状部材２３と、蓋体１２の内面１２ＡとによりベルトＢを厚さ方向両側から挟み込む。また、この状態で、各側部材１８，１８の上端側（出し入れ口１１Ａ側）と、引っ掛け部材１４とによりベルトＢを上下両側から挟み込む。つまり、引っ掛け部材１４を用いてベルトＢを略直交する二方向から挟み込み、収納ケース１０のがたつき等を抑制するようになっている。
なお、ベルトＢから収納ケース１０を取り外す場合、前記隙間Ｓ内からベルトＢを外して引っ掛け部材１４の引っ掛けを解除した後、収納ケース１０を引き下げ、ベルトＢと腰部分Ｗとの間から引っ掛け部材１４及び蓋体１２を抜き出せばよい。
【００２０】
また、図４の状態から、収納ケース１０に携帯電話を収納する場合、出し入れ口１１Ａを介して収納体１１の内部に携帯電話Ｔ（図３参照）を収納し、蓋体１２を閉塞して保持体１３の裏シートＳ２と、シート材２１とを係合させればよい。このとき、シート材２１に対する裏シートＳ２の係合位置を上下に調整することにより、閉塞した蓋体１２の上部位置を調整可能となり、種々のサイズの携帯電話Ｔを収納しても、蓋体１２を介して携帯電話Ｔを上方から押さえ付けることができるようになる。
【００２１】
従って、このような実施形態によれば、ベルトＢに対する引っ掛け部材１４の引っ掛け及びその解除を簡単且つ迅速に行うことができ、高齢者等であっても、収納ケース１０を容易に着脱することが可能となる。これにより、高齢者等が収納ケース１０を装着することを喚起させることができ、携帯電話Ｔを常時身に付けて利用することを期待できる。
また、図３に示されるように、蓋体１２と収納体１１とにより囲まれた空間にベルトＢが位置するので、意図することなく引っ掛け部材１４の引っ掛けが解除されたとしても、ベルトＢ上に蓋体１２が載るようになり、収納ケース１０の装着姿勢の安定化を図ることができる。
更に、面ファスナーを構成する裏シートＳ２を用いて収納体１１及び蓋体１２を形成したので、これら収納体１１及び蓋体１２において、出し入れ口１１Ａの開放状態を維持して携帯電話Ｔの出し入れをスムースに行える程度の定形性と、ベルトＢの面に追従したり、腰回りにフィットしたりする程度の可撓性との両方を得ることができる。
しかも、収納体１１が腰部分Ｗに直接接するので、携帯電話Ｔの呼び出しをいわゆるマナーモードに設定したときに、携帯電話Ｔのバイブレーションを感知し易くなる。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、収納体１１内に収納する収納対象物は、携帯電話やデジタルカメラ、小型音楽プレーヤー等の電子機器或いは各種小物に代えてもよく、これに応じて、収納体１１のサイズ及び形状を変更してもよい。
また、蓋体１２は、収納体１１と別部品として形成して当該収納体１１に着脱自在となるように連設してもよい。
更に、保持体１３は、蓋体１２による出し入れ口１１Ａの閉塞状態を保つことができる限りにおいて種々の変更が可能であり、例えば、スナップやホック等を用い、これらを構成する各部材を収納体１１と蓋体１２とにそれぞれ設けてもよい。
また、引っ掛け部材１４は、図示構成例に限られず、先端側下向きのフック型となる片状部材としたり、ボタンを縫い付けたりして形成することが可能である。要するに、引っ掛け部材１４は、ベルトＢの上方から引っ掛け可能とする構成であれば足りる。
【図面の簡単な説明】
【００２４】
【図１】実施形態に係る収納ケースの概略斜視図。
【図２】前記収納ケースの蓋体を開放した状態の概略斜視図。
【図３】図１のＡ−Ａ線に沿う断面図。
【図４】蓋体を開放した状態の図３と同様の断面図。
【符号の説明】
【００２５】
１０・・・収納ケース、１１・・・収納体、１１Ａ・・・出し入れ口、１２・・・蓋体、１２Ａ・・・内面、１３・・・保持体、１４・・・引っ掛け部材、２３・・・板状部材、２４・・・連結部、Ｂ・・・ベルト、Ｓ・・・隙間
【図１】
2006326138.tif 000003
【図２】
2006326138.tif 000004
【図３】
2006326138.tif 000005
【図４】
2006326138.tif 000006